(57)【要約】【課題】組立てが容易であり且つカメラモジュールを効果的に保護できる携帯式電子装置を提供する。【解決手段】本発明のカメラモジュール付き携帯式電子装置は、回路基板と、前記回路基板に装着されるカメラユニットと、前記カメラユニットの外周を取り巻いて設けられる弾性保護部品と、前記弾性保護部品を覆うケーシングと、を備えてなる。前記弾性保護部品は、前記カメラユニットを収納するための貫通部を有し、前記貫通部の両端はそれぞれ前記ケーシング及び前記回路基板に当止される。前記弾性保護部品は、前記ケーシングと前記回路基板との間に当止されて変形して、前記貫通部の対向する両端を密閉する。【選択図】図３
2011199844.tif 000002
【特許請求の範囲】
【請求項１】
回路基板と、前記回路基板に装着されるカメラユニットと、前記カメラユニットの外周を取り巻いて設けられる弾性保護部品と、前記弾性保護部品を覆うケーシングと、を備えてなるカメラモジュール付き携帯式電子装置において、
前記弾性保護部品は、前記カメラユニットを収納するための貫通部を有し、前記貫通部の両端は、それぞれ前記ケーシング及び前記回路基板に当止され、
前記弾性保護部品は、前記ケーシングと前記回路基板との間に当止されて変形して、前記貫通部の対向する両端を密閉することを特徴とするカメラモジュール付き携帯式電子装置。
【請求項２】
前記回路基板には、固定部品がさらに設けられており、前記固定部品は前記弾性保護部品に対応する取付部を備え、前記弾性保護部品は、前記取付部に装着されることを特徴とする請求項１に記載のカメラモジュール付き携帯式電子装置。
【請求項３】
前記弾性保護部品は、筒体及び前記筒体の基底の四辺から垂直に延在するフランジ部を含み、前記貫通部は、前記筒体の中央部を貫通し、
前記取付部は、切り欠き部及び収容凹部を含み、前記フランジ部は、前記収容凹部に収納され且つ前記回路基板と前記収容凹部の底部との間に挟持され、前記筒体の一端は、前記切り欠き部を通して露出し且つ前記ケーシングに当止されることを特徴とする請求項２に記載のカメラモジュール付き携帯式電子装置。
【請求項４】
前記弾性保護部品は、前記筒体の外面に対称的に突設される２つの係止用リブをさらに含み、
前記切り欠き部の対向する２つの側壁には、前記係止用リブに対応する係合用スロットがそれぞれ凹んで形成されており、前記係止用リブは、前記係合用スロット内に係合されることを特徴とする請求項３に記載のカメラモジュール付き携帯式電子装置。
【請求項５】
前記ケーシングは、フレーム及び粘着剤によって前記フレームに固着されるカバー体を含み、
前記フレームは前記筒体の前記切り欠き部から突出する一端に当止され、前記回路基板は前記筒体のフランジ部に当止されるので、前記貫通部の対向する両端が密閉されることを特徴とする請求項４に記載のカメラモジュール付き携帯式電子装置。
【請求項６】
前記カメラモジュール付き携帯式電子装置は、キャリア板をさらに備え、
前記回路基板の対向する両端には、それぞれ貫通穴が設けられ、前記キャリア板の両側には、それぞれ位置決めピンが突設され、前記位置決めピンを前記貫通穴に貫通することにより、前記回路基板を前記キャリア板に装着することを特徴とする請求項５に記載のカメラモジュール付き携帯式電子装置。
【発明の詳細な説明】
【技術分野】
【０００１】
本発明は、携帯式電子装置に関し、特にカメラモジュール付き携帯式電子装置に関するものである。
【背景技術】
【０００２】
現在、携帯電話などのような携帯式電子装置は、ほとんど撮影機能を備えている。即ち、前記携帯電話の回路基板には、カメラモジュールが設けられている。塵などのような異物がカメラモジュールの中に入って、撮影効果を損なうことを防止するために、通常カメラモジュールのレンズの周囲に防塵用発泡綿を接着して、前記カメラモジュールを覆うケーシングによって前記発泡綿を圧縮して、前記ケーシング及び前記レンズの間の隙間を密閉し、塵などのような異物を効果的に隔離する。
【発明の概要】
【発明が解決しようとする課題】
【０００３】
しかし、携帯式電子装置の軽薄化及びコンパクト化発展に随って、それに内蔵されるカメラモジュールも益々小型化になる。このため、前記カメラモジュールのレンズの周りに防塵用発泡綿を接着させることは非常に難しくなり、しかも、発泡綿の接着位置がずれると、レンズの取景範囲及び前記レンズ周囲の密閉性に影響を与える可能性がある。
【０００４】
そこで、本発明は上記の問題点を考慮してなされたものであり、組立てが容易であり且つカメラモジュールを効果的に保護できる携帯式電子装置を提供することを目的とする。
【課題を解決するための手段】
【０００５】
前記課題を解決するために、本発明に係るカメラモジュール付き携帯式電子装置は、回路基板と、前記回路基板に装着されるカメラユニットと、前記カメラユニットの外周を取り巻いて設けられる弾性保護部品と、前記弾性保護部品を覆うケーシングと、を備えてなる。前記弾性保護部品は、前記カメラユニットを収納するための貫通部を有し、前記貫通部の両端はそれぞれ前記ケーシング及び前記回路基板に当止される。前記弾性保護部品は、前記ケーシングと前記回路基板との間に当止されて変形して、前記貫通部の対向する両端を密閉する。
【発明の効果】
【０００６】
従来の技術に比べて、本発明のカメラモジュール付き携帯式電子装置回路基板には、カメラユニットの外周を取り巻く弾性保護部品が設けられている。前記携帯式電子装置のケーシング及び前記回路基板により前記弾性保護部品の対向する両端を押圧して、前記弾性保護部品を変形させて、カメラユニットを収納する収容空間の両端を密閉して、塵などのような異物が前記カメラユニットに入ることを効果的に防止する。従って、本発明のカメラモジュール付き携帯式電子装置は、組立てが容易で且つ保護効果が優れるという利点を有する。
【図面の簡単な説明】
【０００７】
【図１】本発明に係るカメラモジュール付き携帯式電子装置の斜視図である。
【図２】図１に示したカメラモジュール付き携帯式電子装置の局部分解図である。
【図３】図２に示したカメラモジュール付き携帯式電子装置の部分的組立ての拡大図である。
【図４】図１に示したＩＶ−ＩＶ線に沿うカメラモジュール付き携帯式電子装置の断面図である。
【発明を実施するための形態】
【０００８】
図１及び図２に示したように、本発明の実施形態に係るカメラモジュール付き携帯式電子装置１００は、カメラモジュール１０と、保護部品３０と、固定部品５０と、キャリア板７０と、ケーシング９０と、を含む。前記カメラモジュール１０、前記保護部品３０及び前記固定部品５０は、互いに組み合せて前記キャリア板７０に装着されて、前記キャリア板７０と一緒に前記ケーシング９０内に収納される。
【０００９】
前記カメラモジュール１０は、回路基板１１及び前記回路基板１１に設けられるカメラユニット１３を含む。前記回路基板１１及び前記カメラユニット１３は、互いに電気接続されている。前記カメラユニット１３は、前記回路基板１１を介して前記カメラモジュール付き携帯式電子装置１００のコア制御チップに電気接続される。前記回路基板１１は、矩形のシートであり、その対向する両端にはそれぞれ貫通穴１１１が設けられている。前記カメラユニット１３は、略正方体のブロックであり、前記回路基板１１の一端に固定される。前記カメラユニット１３の天井部には、円形の光透過孔１３１が設けられている。光線が前記光透過孔１３１を通過して、前記カメラユニット１３のレンズに照射したら、前記カメラユニット１３は構図して像を結ぶ。
【００１０】
前記保護部品３０は、ゴムなどのような弾性材料からなり、筒体３１、フランジ部３３及び２つの係止用リブ３５を含む。前記筒体３１は、中空の方柱体であり、その中央部には貫通部３１１が設けられている。前記貫通部３１１のサイズが前記カメラユニット１３の外径にマッチングするので、前記カメラユニット１３を前記貫通部３１１内に収納することができる。前記フランジ部３３は、略矩形の枠状体であり、前記筒体３１の基底部の四辺から垂直に延在するように形成される。前記２つの係止用リブ３５は、前記筒体３１の両側に対称的に突設されて、前記保護部品３０を前記固定部品５０に装着することに用いられる。
【００１１】
前記固定部品５０は、基体５１と、前記基体５１を貫通する２つの固定穴５３と、前記固定穴５３に隣接して設けられる２つのピン穴５５と、１つの取付部５７と、を含む。前記基体５１は、互いに対向して配置されたキャリア面５１１及び当接面５１３を有する。前記２つの固定穴５３は、それぞれ前記基体５１の対向する両端に設けられて、前記固定部品５０を前記キャリア板７０に装着することに用いられる。前記ピン穴５５は、前記回路基板１１の貫通穴１１１に対応して前記基体５１の１つの長辺に近接して設けられ、前記取付部５７は、前記基体５１のもう１つの長辺に沿って設けられる。
【００１２】
前記取付部５７は、１つの切り欠き部５７１と、２つの係合用スロット５７３と、１つの収容凹部５７５と、を含む。前記切り欠き部５７１は、前記カメラユニット１３に対応して設けられ、そのサイズは、前記筒体３１の外径に一致する。前記２つの係合用スロット５７３は、前記切り欠き部５７１の対向する２つの側壁から凹んで形成され、且つ前記係止用リブ３５と互いに係合する。前記収容凹部５７５は、略矩形を呈し、前記当接面５１３に設けられ且つ前記切り欠き部５７１の底面に連通されている。前記収容凹部５７５のサイズは、前記保護部品３０のフランジ部３３の幅に一致するので、前記フランジ部３３を収納することができる。
【００１３】
前記キャリア板７０は、薄い板状体であり、その一端には前記２つのピン穴５５にそれぞれ対応する２つの位置決めピン７１と、前記２つの固定穴５３にそれぞれ対応する２つの固定ピン７３と、が設けられている。前記位置決めピン７１は、前記貫通穴１１１及び前記ピン穴５５内に係止され、前記固定ピン７３は、前記固定穴５３内に係止される。
【００１４】
図４に示したように、前記ケーシング９０は、フレーム９１及び前記フレーム９１に被せられて固定されるカバー体９３を含む。前記フレーム９１は、金属材料からなり、その一端には前記カメラユニット１３に対応する開口９１１が設けられている。前記カバー体９３の前記開口９１１に対応する箇所には、サイズが前記開口９１１より大きいレンズ９３１が装着されている。本実施形態において、前記フレーム９１及び前記カバー体９３は、粘着剤により一体に固着されるので、密閉性に優れる。
【００１５】
以下、図１乃至図４を参照しながら、本発明のカメラモジュール付き携帯式電子装置１００の組み立てのステップについて詳細に説明する。
【００１６】
まず、前記２つの固定ピン７３をそれぞれ前記回路基板１１の２つの貫通穴１１１に貫通してから、前記回路基板１１を前記キャリア板７０の表面に粘着して、前記カメラモジュール１０を前記キャリア板７０に装着する。
【００１７】
次に、前記筒体３１の外周の２つの係止用リブ３５をそれぞれ前記２つの係合用スロット５７３内に嵌合して、前記保護部品３０を前記基体５１の当接面５１３から前記取付部５７内に嵌入して、前記フランジ部３３を前記収容凹部５７５の底面に当止させる。この際、前記筒体３１の外周は、前記切り欠き部５７１に挟持され、前記筒体３１の上部は、前記基体５１のキャリア面５１１から突出する。前記保護部品３０は、前記取付部５７に対して揺らぐことができない。
【００１８】
次に、前記保護部品３０及び前記固定部品５０を前記キャリア板７０に装着して、前記カメラユニット１３を前記貫通部３１１内に収納させ、前記２つの位置決めピン７１をそれぞれ前記２つのピン穴５５に貫通させ、前記２つの固定ピン７３をそれぞれ前記２つの固定穴５３内に係止させる。この際、前記保護部品３０のフランジ部３３は、前記回路基板１１及び前記収容凹部５７５の底部の間に挟持されて、前記固定部品５０と一緒に前記キャリア板７０に装着される。
【００１９】
最後に、前記ケーシング９０を前記キャリア板７０に被せて装着すると共に、前記レンズ９３１、前記開口９１１及び前記光透過孔１３１の位置を互いに合せて、前記カメラユニット１３の撮影効果を確保する。この際、前記ケーシング９０、前記回路基板１１及び前記貫通部３１１は、前記カメラユニット１３を収納するための収容空間８０を囲んで形成する。前記フレーム９１は、前記キャリア板７０に向き合って設置されて、前記筒体３１の前記キャリア面５１１から突出する一端に当止される。従って、前記筒体３１の対向する両端は、それぞれ前記フレーム９１及び前記回路基板１１に押圧されて変形し、前記収容空間８０を充填して、塵などのような異物が前記カメラユニット１３に入ることを効果的に防止する。これで、前記カメラモジュール付き携帯式電子装置１００の組立てが完成される。
【００２０】
本発明によれば、前記回路基板１１に前記カメラユニット１３の外周を取り巻く弾性保護部品３０を設け、且つ前記ケーシング９０及び前記回路基板１１により前記保護部品３０の対向する両端を押圧して、前記保護部品３０を弾性変形させて、前記ケーシング９０、前記貫通部３１１及び前記回路基板１１から構成する収容空間８０（即ち前記貫通部３１１の両端）を密閉して、塵などのような異物が前記カメラユニット１３に入ることを効果的に防止する。
【００２１】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００２２】
１０            カメラモジュール
１１        回路基板
１３        カメラユニット
３０        保護部品
３１        筒体
３３        フランジ部
３５        係止用リブ
５０        固定部品
５１        基体
５３        固定穴
５５        ピン穴
５７        取付部
７０        キャリア板
７１        位置決めピン
７３        固定ピン
８０        収容空間
９０        ケーシング
９１        フレーム
９３        カバー体
１００      カメラモジュール付き携帯式電子装置
１１１      貫通穴
１３１      光透過孔
３１１      貫通部
５１１      キャリア面
５１３      当接面
５７１      切り欠き部
５７３      係合用スロット
５７５      収容凹部
９１１      開口
９３１      レンズ
【図１】
2011199844.tif 000003
【図２】
2011199844.tif 000004
【図３】
2011199844.tif 000005
【図４】
2011199844.tif 000006